(57)【特許請求の範囲】
【請求項１】
無線通信システムにおいて動作する無線デバイスによりカテゴリー基盤の接続制御を遂行する方法であって、
ネットワークからシグナリングカテゴリーにマッピングされた遮断情報を受信し、
前記シグナリングカテゴリーの各々は、一以上の手続に対応するものであり、
前記一以上の手続は、一以上のＮＡＳ（Ｎｏｎ−Ａｃｃｅｓｓ  Ｓｔｒａｔｕｍ）手続、及び、一以上のＲＲＣ（Ｒａｄｉｏ  Ｒｅｓｏｕｒｃｅ  Ｃｏｎｔｒｏｌ）手続とを含んでなり、
前記一以上の手続きの中から、ＲＡＮ（Ｒａｄｉｏ  Ａｃｃｅｓｓ  Ｎｅｔｗｏｒｋ）基盤領域に対するアップデート手続を開始し
前記無線デバイスのＲＲＣ層により、前記シグナリングカテゴリーの中から、前記ＲＡＮ基盤領域に対する前記アップデート手続の前記開始に対応する、一のシグナリングカテゴリーを選択し、
前記遮断情報に基づいて、前記選択された一のシグナリングカテゴリーの為の前記カテゴリー基盤の接続制御を遂行し、及び
前記選択された一のシグナリングカテゴリーの為の前記カテゴリー基盤の接続制御の結果として、前記ＲＡＮ基盤領域に対する前記アップデート手続が遮断されないことに基づいて、前記ＲＡＮ基盤領域に対する前記アップデート手続の為のＲＲＣメッセージを前記ネットワークへ送信することを含んでなる、方法。
【請求項２】
前記遮断情報は、遮断係数、遮断時間、又はビットマップのうちの少なくとも一つを含んでなることを特徴とする、請求項１に記載の方法。
【請求項３】
前記遮断情報は、システム情報を通じて受信されるか、又はＤＣＣＨ（ｄｅｄｉｃａｔｅｄ  ｃｏｎｔｒｏｌ  ｃｈａｎｎｅｌ）上のＲＲＣメッセージを通じて受信されることを特徴とする、請求項１に記載の方法。
【請求項４】
前記ネットワークは、ｅＮＢ（ｅＮｏｄｅＢ）、ｇＮＢ、サーバー、ＭＭＥ（ｍｏｂｉｌｉｔｙ  ｍａｎａｇｅｍｅｎｔ  ｅｎｔｉｔｙ）、ＡＭＦ（ａｃｃｅｓｓ  ａｎｄ  ｍｏｂｉｌｉｔｙ  ｍａｎａｇｅｍｅｎｔ  ｆｕｎｃｔｉｏｎ）、又はＳＭＦ（ｓｅｓｓｉｏｎ  ｍａｎａｇｅｍｅｎｔ  ｆｕｎｃｔｉｏｎ）のうちの何れか一つであることを特徴とする、請求項１に記載の方法。
【請求項５】
無線通信システムにおいて動作する無線デバイスであって、
少なくとも１つの送受信部；
少なくとも１つのプロセッサ；及び
少なくとも１つのコンピュータメモリ；を備えてなり、
前記少なくとも１つのコンピュータメモリは、前記少なくとも１つのプロセッサに動作可能に接続し、かつ、前記少なくとも１つのプロセッサにより実行されることに基づいて、動作を遂行する情報を貯蔵するものであり、
前記動作は、
前記少なくとも１つの送受信部を介して、ネットワークからシグナリングカテゴリーにマッピングされた遮断情報を受信し、
前記シグナリングカテゴリーの各々は、一以上の手続に対応するものであり、
前記一以上の手続は、一以上のＮＡＳ（Ｎｏｎ−Ａｃｃｅｓｓ  Ｓｔｒａｔｕｍ）手続、及び、一以上のＲＲＣ（Ｒａｄｉｏ  Ｒｅｓｏｕｒｃｅ  Ｃｏｎｔｒｏｌ）手続とを含んでなり、
前記一以上の手続きの中から、ＲＡＮ（Ｒａｄｉｏ  Ａｃｃｅｓｓ  Ｎｅｔｗｏｒｋ）基盤領域に対するアップデート手続を開始し
前記無線デバイスのＲＲＣ層により、前記シグナリングカテゴリーの中から、前記ＲＡＮ基盤領域に対する前記アップデート手続の前記開始に対応する、一のシグナリングカテゴリーを選択し、
前記遮断情報に基づいて、前記選択された一のシグナリングカテゴリーの為の前記カテゴリー基盤の接続制御を遂行し、及び
前記少なくとも１つの送受信部を介して、前記選択された一のシグナリングカテゴリーの為の前記カテゴリー基盤の接続制御の結果として、前記ＲＡＮ基盤領域に対する前記アップデート手続が遮断されないことに基づいて、前記ＲＡＮ基盤領域に対する前記アップデート手続の為のＲＲＣメッセージを前記ネットワークへ送信することを含んでなる、無線デバイス。
【発明の詳細な説明】
【技術分野】
【０００１】
本発明は無線通信に関し、より詳しくは、無線通信システムにおける接続制御メカニズムのためにシグナリングカテゴリーを構成する方法及び装置に関する。
【背景技術】
【０００２】
３ＧＰＰ（３ｒｄ  ｇｅｎｅｒａｔｉｏｎ  ｐａｒｔｎｅｒｓｈｉｐ  ｐｒｏｊｅｃｔ）ＬＴＥ（ｌｏｎｇ−ｔｅｒｍ  ｅｖｏｌｕｔｉｏｎ）は、高速パケット通信を可能とするための技術である。ＬＴＥ目標であるユーザと事業者の費用節減、サービス品質向上、カバレッジ拡張及びシステム容量増大のために多くの方式が提案された。３ＧＰＰ  ＬＴＥは、上位レベル必要条件として、ビット当たり費用節減、サービス有用性向上、周波数バンドの柔軟な使用、簡単な構造、開放型インターフェース及び端末の適切な電力消費を要求する。
【０００３】
特定の状況で、端末（ＵＥ；ｕｓｅｒ  ｅｑｕｉｐｍｅｎｔ）がＰＬＭＮ（ｐｕｂｌｉｃ  ｌａｎｄ  ｍｏｂｉｌｅ  ｎｅｔｗｏｒｋ）の特定領域で接続を試み（緊急呼出し試み含み）するか、またはページングに応答することを防止することが好ましいことである。このような状況は非常事態時、または２つ以上の同一位置にあるＰＬＭＮのうちの一つが失敗した場合に発生することがある。放送メッセージはネットワーク接続から遮断された加入者の等級またはカテゴリーを指示し、セル単位でセルで利用可能でなければならない。このような設備の使用はネットワーク事業者が致命的な状況で接続チャンネルの過負荷が防止できるようにする。正常な作動条件で接続制御を使用することは意図されない。ＣＳ（ｃｉｒｃｕｉｔ−ｓｗｉｔｃｈｅｄ）及びＰＳ（ｐａｃｋｅｔ−ｓｗｉｔｃｈｅｄ）ドメイン間の接続制御が差別化できなければならない。
【０００４】
ＩＴＵ（ｉｎｔｅｒｎａｔｉｏｎａｌ  ｔｅｌｅｃｏｍｍｕｎｉｃａｔｉｏｎ  ｕｎｉｏｎ）及び３ＧＰＰでＮＲ（ｎｅｗ  ｒａｄｉｏ  ａｃｃｅｓｓ  ｔｅｃｈｎｏｌｏｇｙ）システムに対する要求事項及び仕様を開発する作業が始まった。ＮＲシステムは、ｎｅｗ  ＲＡＴなどの他の名称で呼ばれることもある。３ＧＰＰは、緊急な市場の要求とＩＴＵ−Ｒ（ＩＴＵ  ｒａｄｉｏ  ｃｏｍｍｕｎｉｃａｔｉｏｎ  ｓｅｃｔｏｒ）ＩＭＴ（ｉｎｔｅｒｎａｔｉｏｎａｌ  ｍｏｂｉｌｅ  ｔｅｌｅｃｏｍｍｕｎｉｃａｔｉｏｎｓ）−２０２０プロセスが提示するより長期的な要求事項を全て適時に満たすＮＲを成功的に標準化するために必要な技術構成要素を識別して開発しなければならない。また、ＮＲは、遠い未来にも無線通信のために利用されることができる少なくとも１００ＧＨｚに達する任意のスペクトラム帯域が使用可能でなければならない。
【０００５】
ＮＲは、ｅＭＢＢ（ｅｎｈａｎｃｅｄ  ｍｏｂｉｌｅ  ｂｒｏａｄｂａｎｄ）、ｍＭＴＣ（ｍａｓｓｉｖｅ  ｍａｃｈｉｎｅ−ｔｙｐｅ−ｃｏｍｍｕｎｉｃａｔｉｏｎｓ）、ＵＲＬＬＣ（ｕｌｔｒａ−ｒｅｌｉａｂｌｅ  ａｎｄ  ｌｏｗ  ｌａｔｅｎｃｙ  ｃｏｍｍｕｎｉｃａｔｉｏｎｓ）などを含む全ての配置シナリオ、使用シナリオ、要求事項を扱う単一技術フレームワークを対象とする。ＮＲは、本質的に順方向互換性があるべきである。
【０００６】
現在３ＧＰＰ  ＬＴＥで多様な形態の接続制御メカニズムが使用中である。ＮＲでもやはり接続制御メカニズムが使われることができる。但し、ＮＲではより効率よく接続制御を遂行するために、現在３ＧＰＰ  ＬＴＥで使用中である多様な形態の接続制御メカニズムを統合することが議論中である。
【発明の概要】
【発明が解決しようとする課題】
【０００７】
本発明は、無線通信システムにおける接続制御メカニズムのためにシグナリングカテゴリーを構成する方法及び装置を提供する。本発明は、ネットワークによって構成されたシグナリングカテゴリーによって、端末が接続制御を遂行する方法及び装置を提供する。
【課題を解決するための手段】
【０００８】
一態様において、無線通信システムにおける端末（ＵＥ；ｕｓｅｒ  ｅｑｕｉｐｍｅｎｔ）によるカテゴリー基盤の接続制御を遂行する方法が提供される。前記方法はネットワークからシグナリングカテゴリーに関する構成を受信し、前記シグナリングカテゴリーに関する構成に基づいて特定シグナリングに対応するカテゴリーを決定し、及び前記特定シグナリングに対応するカテゴリーのセルに対する接続が遮断されたか否かを判断することを含む。
【０００９】
他の態様において、無線通信システムにおける端末（ＵＥ；ｕｓｅｒ  ｅｑｕｉｐｍｅｎｔ）が提供される。前記端末は、メモリ、送受信部、前記メモリ及び前記送受信部と連結されるプロセスを含む。前記前記プロセッサはネットワークからシグナリングカテゴリーに関する構成を受信するように前記送受信部を制御し、前記シグナリングカテゴリーに関する構成に基づいて特定シグナリングに対応するカテゴリーを決定し、及び前記特定シグナリングに対応するカテゴリーのセルに対する接続が遮断されたか否かを判断する。
【発明の効果】
【００１０】
カテゴリー基盤の接続制御メカニズムが多様な種類のシグナリングに対しても適用できる。
【図面の簡単な説明】
【００１１】
【図１】３ＧＰＰ  ＬＴＥシステムの構造を示す。
【図２】ＬＴＥシステムのユーザ平面プロトコルスタックのブロック図である。
【図３】ＬＴＥシステムの制御平面プロトコルスタックのブロック図である。
【図４】ＮＧ−ＲＡＮアーキテクチャを示す。
【図５】本発明の一実施形態に従うカテゴリーとアプリケーション、サービス、呼出しタイプ、確立原因、ＮＡＳ階層からの指示子及び／又はシグナリング手続きのマッピング関係を示す。
【図６】本発明の一実施形態に従ってＵＥがカテゴリー基盤の接続制御を遂行する方法を示す。
【図７】本発明の実施形態が具現される無線通信システムを示す。
【発明を実施するための形態】
【００１２】
図１は、３ＧＰＰ  ＬＴＥシステムの構造を示す。図１を参照すると、３ＧＰＰ  ＬＴＥ（ｌｏｎｇ−ｔｅｒｍ  ｅｖｏｌｕｔｉｏｎ）システム構造は、一つ以上のユーザ端末（ＵＥ；ｕｓｅｒ  ｅｑｕｉｐｍｅｎｔ）１０、Ｅ−ＵＴＲＡＮ（ｅｖｏｌｖｅｄ−ＵＭＴＳ  ｔｅｒｒｅｓｔｒｉａｌ  ｒａｄｉｏ  ａｃｃｅｓｓ  ｎｅｔｗｏｒｋ）及びＥＰＣ（ｅｖｏｌｖｅｄ  ｐａｃｋｅｔ  ｃｏｒｅ）を含む。ＵＥ１０は、ユーザにより動く通信装置である。ＵＥ１０は、固定されてもよいし、移動性を有してもよく、ＭＳ（ｍｏｂｉｌｅ  ｓｔａｔｉｏｎ）、ＵＴ（ｕｓｅｒ  ｔｅｒｍｉｎａｌ）、ＳＳ（ｓｕｂｓｃｒｉｂｅｒ  ｓｔａｔｉｏｎ）、無線機器（ｗｉｒｅｌｅｓｓ  ｄｅｖｉｃｅ）等、他の用語で呼ばれることもある。
【００１３】
Ｅ−ＵＴＲＡＮは、一つ以上のｅＮＢ（ｅｖｏｌｖｅｄ  ＮｏｄｅＢ）２０を含み、一つのセルに複数のＵＥが存在できる。ｅＮＢ２０は、制御平面（ｃｏｎｔｒｏｌ  ｐｌａｎｅ）とユーザ平面（ｕｓｅｒ  ｐｌａｎｅ）の終端点をＵＥ１０に提供する。ｅＮＢ２０は、一般的にＵＥ１０と通信する固定局（ｆｉｘｅｄ  ｓｔａｔｉｏｎ）を意味し、ＢＳ（ｂａｓｅ  ｓｔａｔｉｏｎ）、アクセスポイント（ａｃｃｅｓｓ  ｐｏｉｎｔ）等、他の用語で呼ばれることもある。一つのｅＮＢ２０は、セル毎に配置されることができる。
【００１４】
以下、ダウンリンク（ＤＬ；ｄｏｗｎｌｉｎｋ）は、ｅＮＢ２０からＵＥ１０への通信を意味する。アップリンク（ＵＬ；ｕｐｌｉｎｋ）は、ＵＥ１０からｅＮＢ２０への通信を意味する。サイドリンク（ＳＬ；ｓｉｄｅｌｉｎｋ）は、ＵＥ１０間の通信を意味する。ＤＬにおいて、送信機はｅＮＢ２０の一部であり、受信機はＵＥ１０の一部である。ＵＬにおいて、送信機はＵＥ１０の一部であり、受信機はｅＮＢ２０の一部である。ＳＬにおいて、送信機と受信機はＵＥ１０の一部である。
【００１５】
ＥＰＣは、ＭＭＥ（ｍｏｂｉｌｉｔｙ  ｍａｎａｇｅｍ  ｅｎｔｅｎｔｉｔｙ）とＳ−ＧＷ（ｓｅｒｖｉｎｇ  ｇａｔｅｗａｙ）を含む。ＭＭＥ／Ｓ−ＧＷ３０は、ネットワークの終端に位置する。ＭＭＥ／Ｓ−ＧＷ３０は、ＵＥ１０のためのセッション及び移動性管理機能の終端点を提供する。説明の便宜のために、ＭＭＥ／Ｓ−ＧＷ３０は、“ゲートウェイ”で単純に表現し、これはＭＭＥ及びＳ−ＧＷを両方とも含むことができる。ＰＤＮ（ｐａｃｋｅｔ  ｄａｔａ  ｎｅｔｗｏｒｋ）ゲートウェイ（Ｐ−ＧＷ）は、外部ネットワークと連結されることができる。
【００１６】
ＭＭＥは、ｅＮＢ２０へのＮＡＳ（ｎｏｎ−ａｃｃｅｓｓ  ｓｔｒａｔｕｍ）シグナリング、ＮＡＳシグナリングセキュリティ、ＡＳ（ａｃｃｅｓｓ  ｓｔｒａｔｕｍ）セキュリティ制御、３ＧＰＰアクセスネットワーク間の移動性のためのｉｎｔｅｒ  ＣＮ（ｃｏｒｅ  ｎｅｔｗｏｒｋ）ノードシグナリング、アイドルモード端末到達可能性（ページング再送信の制御及び実行を含む）、トラッキング領域リスト管理（アイドルモード及び活性化モードであるＵＥのために）、Ｐ−ＧＷ及びＳ−ＧＷ選択、ＭＭＥ変更と共にハンドオーバのためのＭＭＥ選択、２Ｇまたは３Ｇ  ３ＧＰＰアクセスネットワークへのハンドオーバのためのＳＧＳＮ（ｓｅｒｖｉｎｇ  ＧＰＲＳ  ｓｕｐｐｏｒｔ  ｎｏｄｅ）選択、ローミング、認証、専用ベアラ設定を含むベアラ管理機能、ＰＷＳ（ｐｕｂｌｉｃ  ｗａｒｎｉｎｇ  ｓｙｓｔｅｍ：ＥＴＷＳ（ｅａｒｔｈｑｕａｋｅ  ａｎｄ  ｔｓｕｎａｍｉ  ｗａｒｎｉｎｇ  ｓｙｓｔｅｍ）及びＣＭＡＳ（ｃｏｍｍｅｒｃｉａｌ  ｍｏｂｉｌｅ  ａｌｅｒｔ  ｓｙｓｔｅｍ）を含む）メッセージ送信サポートなどの多様な機能を提供する。Ｓ−ＧＷホストは、ユーザ別基盤のパケットフィルタリング（例えば、深層パケット検査を介して）、合法的遮断、端末ＩＰ（ｉｎｔｅｒｎｅｔ  ｐｒｏｔｏｃｏｌ）アドレス割当、ＤＬで送信レベルパッキングマーキング、ＵＬ／ＤＬサービスレベル課金、ゲーティング及び等級強制、ＡＰＮ−ＡＭＢＲ（ａｃｃｅｓｓ  ｐｏｉｎｔ  ｎａｍｅ  ａｇｇｒｅｇａｔｅ  ｍａｘｉｍｕｍ  ｂｉｔ  ｒａｔｅ）に基づくＤＬ等級強制の各種機能を提供する。
【００１７】
ユーザトラフィック送信または制御トラフィック送信のためのインターフェースが使われることができる。ＵＥ１０とｅＮＢ２０は、Ｕｕインターフェースにより連結される。ＵＥ１０間は、ＰＣ５インターフェースにより連結される。ｅＮＢ２０間は、Ｘ２インターフェースにより連結される。隣接するｅＮＢ２０は、Ｘ２インターフェースによる網型ネットワーク構造を有することができる。ｅＮＢ２０とゲートウェイ３０は、Ｓ１インターフェースを介して連結される。
【００１８】
図２は、ＬＴＥシステムのユーザ平面プロトコルスタックのブロック図である。図３は、ＬＴＥシステムの制御平面プロトコルスタックのブロック図である。ＵＥとＥ−ＵＴＲＡＮとの間の無線インターフェースプロトコルの階層は、通信システムで広く知られたＯＳＩ（ｏｐｅｎ  ｓｙｓｔｅｍ  ｉｎｔｅｒｃｏｎｎｅｃｔｉｏｎ）モデルの下位３個階層に基づいてＬ１（第１の階層）、Ｌ２（第２の階層）及びＬ３（第３の階層）に分けられる。
【００１９】
物理階層（ＰＨＹ；ｐｈｙｓｉｃａｌ  ｌａｙｅｒ）は、Ｌ１に属する。物理階層は、物理チャネルを介して上位階層に情報送信サービスを提供する。物理階層は、上位階層であるＭＡＣ（ｍｅｄｉａ  ａｃｃｅｓｓ  ｃｏｎｔｒｏｌ）階層とトランスポートチャネル（ｔｒａｎｓｐｏｒｔ  ｃｈａｎｎｅｌ）を介して連結される。物理チャネルは、トランスポートチャネルにマッピングされる。トランスポートチャネルを介してＭＡＣ階層と物理階層との間にデータが送信される。互いに異なる物理階層間、即ち、送信機の物理階層と受信機の物理階層との間のデータは、物理チャネルを介して送信される。
【００２０】
ＭＡＣ階層、ＲＬＣ（ｒａｄｉｏ  ｌｉｎｋ  ｃｏｎｔｒｏｌ）階層及びＰＤＣＰ（ｐａｃｋｅｔ  ｄａｔａ  ｃｏｎｖｅｒｇｅｎｃｅ  ｐｒｏｔｏｃｏｌ）階層は、Ｌ２に属する。ＭＡＣ階層は、論理チャネル（ｌｏｇｉｃａｌ  ｃｈａｎｎｅｌ）を介して上位階層であるＲＬＣ階層にサービスを提供する。ＭＡＣ階層は、論理チャネル上のデータ送信サービスを提供する。ＲＬＣ階層は、信頼性のあるデータ送信をサポートする。一方、ＲＬＣ階層の機能は、ＭＡＣ階層内部の機能ブロックで具現されることができ、このとき、ＲＬＣ階層は、存在しないこともある。ＰＤＣＰ階層は、相対的に帯域幅が小さい無線インターフェース上でＩＰｖ４またはＩＰｖ６のようなＩＰパケットを導入して送信されるデータが効率的に送信されるように不要な制御情報を減らすヘッダ圧縮機能を提供する。
【００２１】
ＲＲＣ（ｒａｄｉｏ  ｒｅｓｏｕｒｃｅ  ｃｏｎｔｒｏｌ）階層は、Ｌ３に属する。Ｌ３の最も下段部分に位置するＲＲＣ階層は、制御平面でのみ定義される。ＲＲＣ階層は、ＲＢ（ｒａｄｉｏ  ｂｅａｒｅｒ）の設定（ｃｏｎｆｉｇｕｒａｔｉｏｎ）、再設定（ｒｅ−ｃｏｎｆｉｇｕｒａｔｉｏｎ）及び解除（ｒｅｌｅａｓｅ）と関連して論理チャネル、トランスポートチャネル及び物理チャネルの制御を担当する。ＲＢは、ＵＥとＥ−ＵＴＲＡＮとの間のデータ送信のためにＬ２により提供されるサービスを意味する。
【００２２】
図２を参照すると、ＲＬＣ及びＭＡＣ階層（ネットワーク側でｅＮＢで終了）は、スケジューリング、ＡＲＱ及びＨＡＲＱ（ｈｙｂｒｉｄ  ａｕｔｏｍａｔｉｃ  ｒｅｐｅａｔ  ｒｅｑｕｅｓｔ）のような機能を遂行することができる。ＰＤＣＰ階層（ネットワーク側でｅＮＢで終了）は、ヘッダ圧縮、無欠性保護及び暗号化のようなユーザ平面機能を遂行することができる。
【００２３】
図３を参照すると、ＲＬＣ／ＭＡＣ階層（ネットワーク側でｅＮＢで終了）は、制御平面のために同じ機能を遂行することができる。ＲＲＣ階層（ネットワーク側でｅＮＢで終了）は、放送、ページング、ＲＲＣ接続管理、ＲＢ制御、移動性機能及びＵＥ測定報告及び制御のような機能を遂行することができる。ＮＡＳ制御プロトコル（ネットワーク側でゲートウェイのＭＭＥで終了）は、ＳＡＥベアラ管理、認証、ＬＴＥ＿ＩＤＬＥ移動性管理、ＬＴＥ＿ＩＤＬＥでのページング開始及びゲートウェイとＵＥとの間のシグナリングのためのセキュリティ制御のような機能を遂行することができる。
【００２４】
物理チャネルは、無線リソースを介してＵＥの物理階層とｅＮＢの物理階層との間のシグナリング及びデータを送信する。物理チャネルは、時間領域で複数のサブフレームと周波数領域で複数の副搬送波とで構成される。１ｍｓである一つのサブフレームは、時間領域で複数のシンボルで構成される。該当サブフレームの特定シンボル、例えば、サブフレームの最初のシンボルは、ＰＤＣＣＨのために使われることができる。ＰＤＣＣＨは、ＰＲＢ（ｐｈｙｓｉｃａｌ  ｒｅｓｏｕｒｃｅ  ｂｌｏｃｋ）及びＭＣＳ（ｍｏｄｕｌａｔｉｏｎ  ａｎｄ  ｃｏｄｉｎｇ  ｓｃｈｅｍｅｓ）のように動的に割り当てられたリソースを伝送することができる。
【００２５】
ＤＬトランスポートチャネルは、システム情報を送信するために使われるＢＣＨ（ｂｒｏａｄｃａｓｔ  ｃｈａｎｎｅｌ）、ＵＥをページングするために使われるＰＣＨ（ｐａｇｉｎｇ  ｃｈａｎｎｅｌ）、ユーザトラフィックまたは制御信号を送信するために使われるＤＬ−ＳＣＨ（ｄｏｗｎｌｉｎｋ  ｓｈａｒｅｄ  ｃｈａｎｎｅｌ）、マルチキャストまたは放送サービス送信のために使われるＭＣＨ（ｍｕｌｔｉｃａｓｔ  ｃｈａｎｎｅｌ）を含む。ＤＬ−ＳＣＨは、ＨＡＲＱ、変調、コーディング及び送信電力の変化による動的リンク適応及び動的／半静的リソース割当をサポートする。また、ＤＬ−ＳＣＨは、セル全体に放送及びビームフォーミングの使用を可能にすることができる。
【００２６】
ＵＬトランスポートチャネルは、一般的にセルへの初期接続のために使われるＲＡＣＨ（ｒａｎｄｏｍ  ａｃｃｅｓｓ  ｃｈａｎｎｅｌ）、ユーザトラフィックまたは制御信号を送信するために使われるＵＬ−ＳＣＨ（ｕｐｌｉｎｋ  ｓｈａｒｅｄ  ｃｈａｎｎｅｌ）を含む。ＵＬ−ＳＣＨは、ＨＡＲＱ及び送信電力及び潜在的な変調及びコーディングの変化による動的リンク適応をサポートする。また、ＵＬ−ＳＣＨは、ビームフォーミングの使用を可能にすることができる。
【００２７】
論理チャネルは、送信される情報の種類によって、制御平面の情報伝達のための制御チャネルとユーザ平面の情報伝達のためのトラフィックチャネルとに分類される。即ち、論理チャネルタイプのセットは、ＭＡＣ階層により提供される互いに異なるデータ送信サービスのために定義される。
【００２８】
制御チャネルは、制御平面の情報伝達のみのために使われる。ＭＡＣ階層により提供される制御チャネルは、ＢＣＣＨ（ｂｒｏａｄｃａｓｔ  ｃｏｎｔｒｏｌ  ｃｈａｎｎｅｌ）、ＰＣＣＨ（ｐａｇｉｎｇ  ｃｏｎｔｒｏｌ  ｃｈａｎｎｅｌ）、ＣＣＣＨ（ｃｏｍｍｏｎ  ｃｏｎｔｒｏｌ  ｃｈａｎｎｅｌ）、ＭＣＣＨ（ｍｕｌｔｉｃａｓｔ  ｃｏｎｔｒｏｌ  ｃｈａｎｎｅｌ）及びＤＣＣＨ（ｄｅｄｉｃａｔｅｄ  ｃｏｎｔｒｏｌ  ｃｈａｎｎｅｌ）を含む。ＢＣＣＨは、システム制御情報を放送するためのＤＬチャネルである。ＰＣＣＨは、ページング情報の送信のためのＤＬチャネルであり、ネットワークがＵＥのセル単位の位置を知らない時に使われる。ＣＣＣＨは、ネットワークとＲＲＣ接続を有しないとき、ＵＥにより使われる。ＭＣＣＨは、ネットワークからＵＥにＭＢＭＳ（ｍｕｌｔｉｍｅｄｉａ  ｂｒｏａｄｃａｓｔ  ｍｕｌｔｉｃａｓｔ  ｓｅｒｖｉｃｅｓ）制御情報を送信するために使われる一対多のＤＬチャネルである。ＤＣＣＨは、ＵＥとネットワークとの間に専用制御情報送信のためにＲＲＣ接続を有するＵＥにより使われる一対一の双方向チャネルである。
【００２９】
トラフィックチャネルは、ユーザ平面の情報伝達のみのために使われる。ＭＡＣ階層により提供されるトラフィックチャネルは、ＤＴＣＨ（ｄｅｄｉｃａｔｅｄ  ｔｒａｆｆｉｃ  ｃｈａｎｎｅｌ）及びＭＴＣＨ（ｍｕｌｔｉｃａｓｔ  ｔｒａｆｆｉｃ  ｃｈａｎｎｅｌ）を含む。ＤＴＣＨは、一対一のチャネルで一つのＵＥのユーザ情報の送信のために使われ、ＵＬ及びＤＬの両方ともに存在できる。ＭＴＣＨは、ネットワークからＵＥにトラフィックデータを送信するための一対多のＤＬチャネルである。
【００３０】
論理チャネルとトランスポートチャネルとの間のＵＬ連結は、ＵＬ−ＳＣＨにマッピングされることができるＤＣＣＨ、ＵＬ−ＳＣＨにマッピングされることができるＤＴＣＨ及びＵＬ−ＳＣＨにマッピングされることができるＣＣＣＨを含む。論理チャネルとトランスポートチャネルとの間のＤＬ連結は、ＢＣＨまたはＤＬ−ＳＣＨにマッピングされることができるＢＣＣＨ、ＰＣＨにマッピングされることができるＰＣＣＨ、ＤＬ−ＳＣＨにマッピングされることができるＤＣＣＨ、ＤＬ−ＳＣＨにマッピングされることができるＤＴＣＨ、ＭＣＨにマッピングされることができるＭＣＣＨ及びＭＣＨにマッピングされることができるＭＴＣＨを含む。
【００３１】
ＲＲＣ状態は、ＵＥのＲＲＣ階層がＥ−ＵＴＲＡＮのＲＲＣ階層と論理的に接続されているかどうかを指示する。ＲＲＣ状態は、ＲＲＣ接続状態（ＲＲＣ＿ＣＯＮＮＥＣＴＥＤ）及びＲＲＣアイドル状態（ＲＲＣ＿ＩＤＬＥ）のように二つに分けられる。ＲＲＣ＿ＩＤＬＥで、ＵＥがＮＡＳにより設定されたＤＲＸ（ｄｉｓｃｏｎｔｉｎｕｏｕｓ  ｒｅｃｅｐｔｉｏｎ）を指定する間に、ＵＥは、システム情報及びページング情報の放送を受信することができる。そして、ＵＥは、トラッキング領域でＵＥを固有に指定するＩＤ（ｉｄｅｎｔｉｆｉｃａｔｉｏｎ）の割当を受け、ＰＬＭＮ（ｐｕｂｌｉｃ  ｌａｎｄ  ｍｏｂｉｌｅ  ｎｅｔｗｏｒｋ）選択及びセル再選択を実行することができる。また、ＲＲＣ＿ＩＤＬＥで、いかなるＲＲＣコンテキストもｅＮＢに格納されない。
【００３２】
ＲＲＣ＿ＣＯＮＮＥＣＴＥＤで、ＵＥは、Ｅ−ＵＴＲＡＮでＥ−ＵＴＲＡＮ  ＲＲＣ接続及びコンテキストを有し、ｅＮＢにデータを送信及び／またはｅＮＢからデータを受信することが可能である。また、ＵＥは、ｅＮＢにチャネル品質情報及びフィードバック情報を報告することができる。ＲＲＣ＿ＣＯＮＮＥＣＴＥＤで、Ｅ−ＵＴＲＡＮは、ＵＥが属するセルを知ることができる。したがって、ネットワークは、ＵＥにデータを送信及び／またはＵＥからデータを受信することができ、ＵＥの移動性（ハンドオーバ及びＮＡＣＣ（ｎｅｔｗｏｒｋ  ａｓｓｉｓｔｅｄ  ｃｅｌｌ  ｃｈａｎｇｅ）を介したＧＥＲＡＮ（ＧＳＭ（登録商標）  ＥＤＧＥ  ｒａｄｉｏ  ａｃｃｅｓｓ  ｎｅｔｗｏｒｋ）にｉｎｔｅｒ−ＲＡＴ（ｒａｄｉｏ  ａｃｃｅｓｓ  ｔｅｃｈｎｏｌｏｇｙ）セル変更指示）を制御することができ、隣接セルのためにセル測定を実行することができる。
【００３３】
ＲＲＣ＿ＩＤＬＥで、ＵＥは、ページングＤＲＸ周期を指定する。具体的に、ＵＥは、ＵＥ特定ページングＤＲＸ周期毎の特定ページング機会（ｐａｇｉｎｇ  ｏｃｃａｓｉｏｎ）にページング信号をモニタする。ページング機会は、ページング信号が送信される間の時間区間である。ＵＥは、自分のみのページング機会を有している。ページングメッセージは、同じトラッキング領域（ＴＡ；ｔｒａｃｋｉｎｇ  ａｒｅａ）に属する全てのセル上に送信される。ＵＥが一つのＴＡから他のＴＡに移動すると、ＵＥは、自分の位置をアップデートするためにネットワークにＴＡＵ（ｔｒａｃｋｉｎｇ  ａｒｅａ  ｕｐｄａｔｅ）メッセージを送信することができる。
【００３４】
以下、３ＧＰＰ  ＬＴＥの接続制御メカニズムに対して説明する。
【００３５】
まず、接続等級遮断（ＡＣＢ；ａｃｃｅｓｓ  ｃｌａｓｓ  ｂａｒｒｉｎｇ）に対して説明する。ＵＥが無線インターフェースを介してシグナリングされた許容等級に対応する少なくとも一つの接続等級のメンバーであり、接続等級がサービングネットワークに適用可能な場合、接続試みが許容される。また、接続ネットワークがＵＴＲＡＮである場合、それらの接続等級が許容されなくても、サービングネットワークはＵＥがページングに応答し位置登録を遂行することができることを示すことができる。そうでなければ、接続試みが許容されない。また、サービングネットワークは共通接続が許容されても、ＵＥが位置登録を遂行するように制限されるということを示すことができる。ＵＥがページングに応答すれば、正常に定義された手続きを遂行し、ネットワーク命令によって指定された通り動作することができる。ネットワーク事業者はＵＥにネットワーク接続を許容する時、ネットワーク負荷を考慮することができる。
【００３６】
接続等級は、次の通り適用される。
【００３７】
−  等級０−９：ホームＰＬＭＮ（ＨＰＬＭＮ；ｈｏｍｅ  ＰＬＭＮ）及び訪問ＰＬＭＮ（ＶＰＬＭＮ；ｖｉｓｉｔｅｄ  ＰＬＭＮ）；
【００３８】
−  等級１１及び１５：同等ＨＰＬＭＮ（ＥＨＰＬＭＮ；ｅｑｕｉｖａｌｅｎｔ  ＨＰＬＭＮ）目録がない場合のみにＨＰＬＭＮまたは全てのＥＨＰＬＭＮ；
【００３９】
−  等級１２、１３、１４：ただ本国のＶＰＬＭＮ及びＨＰＬＭＮ。この目的のために、本国はＩＭＳＩ（ｉｎｔｅｒｎａｔｉｏｎａｌ  ｍｏｂｉｌｅ  ｓｕｂｓｃｒｉｂｅｒ  ｉｄｅｎｔｉｔｙ）のＭＣＣ（ｍｏｂｉｌｅ  ｃｏｕｎｔｒｙ  ｃｏｄｅ）部分の国家と定義される。
【００４０】
前述したどんな等級もどの瞬間には遮断できる。
【００４１】
同一な接続ネットワークを共有する多重コアネットワークの場合、接続ネットワークは互いに異なるコアネットワークに対してＡＣＢを個別的に適用することができる。
【００４２】
ＡＣＢに対する要求事項は、次の通りである。
【００４３】
−  サービングネットワークは接続等級０−９に共通に適用される接続制御の平均持続時間及び遮断率（例えば、百分率値）をＵＥに放送することができる。ＵＭＴＳと同一な原則が接続等級１１−１５に適用される。
【００４４】
−  Ｅ−ＵＴＲＡＮは接続試みのタイプ（即ち、モバイル発信データ（ＭＯ（ｍｏｂｉｌｅ  ｏｒｉｇｉｎａｔｉｎｇ）ｄａｔａ）またはモバイル発信シグナリング（ＭＯ  ｓｉｇｎａｌｉｎｇ）に基づいて接続制御をサポートすることができ、ＵＥに送信される指示はＵＥの行動を案内するために放送できる。Ｅ−ＵＴＲＡＮは接続試みのタイプ（例えば、ＭＯ及びモバイル着信（ＭＴ；ｍｏｂｉｌｅ  ｔｅｒｍｉｎａｔｉｎｇ）、ＭＯまたは位置登録など）に基づいて接続制御の組合せを形成することができる。接続制御の平均持続時間及び遮断率は各接続試みのタイプ別に（即ち、ＭＯデータまたはＭＯシグナリング）放送される。
【００４５】
−  ＵＥはサービングネットワークから提供された情報で遮断状態を決定し、これによって接続試みを遂行する。ＵＥは連結確立を開始する時、０と１との間の均一な乱数を抽出し、現在の遮断率と比較して遮断されたか否かを決定する。均一な乱数が現在の遮断率より小さく、接続試みのタイプが許容されたと指示されれば、接続試みが許容される。そうでなければ、接続試みが許容されない。接続試みが許容されなければ、同一なタイプの追加接続試みはネットワークにより提供された接続制御の平均持続時間及びＵＥにより導出される乱数に基づいて計算された時間の間遮断される。
【００４６】
−  サービングネットワークはＵＥがＳＧを通じてのＳＭＳ（ｓｈｏｒｔ  ｍｅｓｓａｇｅ  ｓｅｒｖｉｃｅ）、ＩＭＳ（ＩＰ  ｍｕｌｔｉｍｅｄｉａ  ｓｕｂｓｙｓｔｅｍ）を通じてのＳＭＳ（ＳＭＳ  ｏｖｅｒ  ＩＰ）及びＳ１０２を通じてのＳＭＳでＳＭＳ接続試みのために接続等級遮断を適用するか否かを指示することができる。この指示は接続等級０−９及び１１−１５に対して有効である。
【００４７】
−  サービングネットワークはＵＥがＭＭＴＥＬ（ｍｕｌｔｉｍｅｄｉａ  ｔｅｌｅｐｈｏｎｙ  ｓｅｒｖｉｃｅ）音声接続試みのために接続等級遮断を適用するか否かを指示することができる。この指示は接続等級０−９及び１１−１５に対して有効である。
【００４８】
−  サービングネットワークはＵＥがＭＭＴＥＬビデオ接続試みのために接続等級遮断を適用するか否かを指示することができる。この指示は、接続等級０−９及び１１−１５に対して有効である。
【００４９】
サービス特定接続制御（ＳＳＡＣ；ｓｅｒｖｉｃｅ  ｓｐｅｃｉｆｉｃ  ａｃｃｅｓｓ  ｃｏｎｔｒｏｌ）に対して説明する。前述したＡＣＢに加えて、Ｅ−ＵＴＲＡＮではアイドルモードまたは連結モードからＭＯセッション要請に対するＭＭＴＥＬに対する独立的な接続制御を適用するために、ＳＳＡＣと呼ばれる能力をサポートすることができる。サービングネットワークはＳＳＡＣ対象ＵＥがＡＣＢを適用しなければならないか否かを指示することができる。ＥＰＳ（ｅｖｏｌｖｅｄ  ｐａｃｋｅｔ  ｓｙｓｔｅｍ）はＭＭＴＥＬ音声及びＭＭＴＥＬビデオの各々に対してサービス確率係数及び接続制御の平均持続時間を割り当てる能力を提供することができる。ＳＳＡＣに対する要求事項は、次の通りである。
【００５０】
−  接続等級０−９に対して共通的に適用される遮断率（百分率）を割り当てる。
【００５１】
−  接続等級１１−１５範囲の各接続等級に対して遮断状態フラグ（遮断／非遮断）を割り当てる。
【００５２】
−  ＳＳＡＣは接続等級１０に適用されない。
【００５３】
−  ＳＳＡＣはＨＰＬＭＮに対する接続無しで、運営者政策に基づくＶＰＬＭＮを通じて提供できる。
【００５４】
−  ＳＳＡＣは同時に発生する多量のＭＯセッション要請によるサービス可用性低下（即ち、無線資源の不足）を最小化し、遮断されないサービスに対する無線接続資源の可用性を最大化するメカニズムを提供することができる。
【００５５】
−  サービングネットワークは接続等級の平均持続期間、接続等級０−９に対する遮断率、接続等級１１−１５範囲の各接続等級に対する遮断状態をＵＥに放送することができる。
【００５６】
−  ＵＥはサービングネットワークから提供された情報で遮断状態を決定し、これによって接続試みを遂行する。ＵＥは連結確立を開始する時、０と１との間の均一な乱数を抽出し、現在の遮断率と比較して遮断されたか否かを決定する。均一な乱数が現在の遮断率より小さく、接続試みのタイプが許容されたと指示されれば、接続試みが許容される。そうでなければ、接続試みが許容されない。接続試みが許容されなければ、同一なタイプの追加接続試みはネットワークにより提供された接続制御の平均持続時間及びＵＥにより導出される乱数に基づいて計算された時間の間遮断される。
【００５７】
拡張された接続遮断（ＥＡＢ；ｅｘｔｅｎｄｅｄ  ａｃｃｅｓｓ  ｂａｒｒｉｎｇ）に対して説明する。ＥＡＢは事業者が接続ネットワーク及び／又はコアネットワークの過負荷を防止するためにＥＡＢのために構成されたＵＥのＭＯ接続試みを制御するためのメカニズムである。混雑状況で、事業者は他のＵＥからの接続を許容しながらＥＡＢのために構成されたＵＥからの接続を制限することができる。ＥＡＢのために構成されたＵＥは他のＵＥより接続制限に一層寛大であると見なされる。事業者がＥＡＢを適用することが適切であると決定すれば、ネットワークは特定領域のＵＥに対してＥＡＢ制御を提供するために必要な情報を放送する。ＥＡＢに対する要求事項は、次の通りである。
【００５８】
−  ＵＥはＨＰＬＭＮによりＥＡＢのために構成される。
【００５９】
−  ＥＡＢは全ての３ＧＰＰ  ＲＡＴ（ｒａｄｉｏ  ａｃｃｅｓｓ  ｔｅｃｈｎｏｌｏｇｙ）に適用できる。
【００６０】
−  ＥＡＢはＵＥがＨＰＬＭＮにいるかＶＰＬＭＮにいるかにかかわらず、適用できる。
【００６１】
−  ネットワークはＥＡＢ情報を放送することができる。
【００６２】
−  ＥＡＢ情報はＥＡＢが次のカテゴリーのうち、いずれか一つのＵＥに適用されるか否かを定義することができる。
【００６３】
ａ）ＥＡＢのために構成されたＵＥ；
【００６４】
ｂ）ＥＡＢのために構成され、該当ＨＰＬＭＮやこれに相応するＰＬＭＮにないＵＥ；
【００６５】
ｃ）ＥＡＢのために構成され、ＵＥがＳＩＭ（ｓｕｂｓｃｒｉｂｅｒ  ｉｄｅｎｔｉｆｉｃａｔｉｏｎ  ｍｏｄｕｌｅ）／ＵＳＩＭ（ｕｎｉｖｅｒｓａｌ  ＳＩＭ）の運営者定義ＰＬＭＮ選択器リストでローミング中の国家の最も好まれるＰＬＭＮで羅列されず、該当ＨＰＬＭＮやこれに相応するＰＬＭＮにないＵＥ。
【００６６】
−  ＥＡＢ情報には接続等級０−９に対する拡張された遮断情報を含むことができる。
【００６７】
−  ネットワークによって放送されるＥＡＢ情報を評価する時、ＥＡＢのために構成されたＵＥはネットワーク接続が遮断されるか否かを決定するために割り当てられた接続等級を使用することができる。
【００６８】
−  ＥＡＢのために構成されたＵＥが緊急呼出しを開始するか、または接続等級１１−１５範囲のメンバーであり、接続等級がネットワークにより許容されれば、ＵＥはＥＡＢをネットワークにより放送されるどんなＥＡＢ情報も無視することができる。
【００６９】
−  ネットワークがＥＡＢ情報を放送しない場合、ＵＥは前述したＡＣＢの対象になることができる。
【００７０】
−  ネットワークにより放送されるＥＡＢ情報がＵＥを遮断しない場合、ＵＥは前述したＡＣＢの対象になることができる。
【００７１】
−  同一な接続ネットワークを共有する多重コアネットワークの場合、接続ネットワークは互いに異なるコアネットワークに対してＥＡＢを個別的に適用することができる。
【００７２】
ＥＡＢ無視は事業者がＥＡＢのために構成されたＵＥがＥＡＢ条件下でネットワークに接続できるようにするメカニズムである。ＥＡＢ無視に対する要求事項は、次の通りである。
【００７３】
−  ＥＡＢのために構成されたＵＥはＥＡＢ無視の権限があるＨＰＬＭＮにより構成できる。
【００７４】
−ＥＡＢ無視の権限で構成されたＵＥに対し、ユーザまたはアプリケーション（ＵＥの上位階層）がＥＡＢが適用されないＰＤＮ連結を活性化するようにＵＥに要請することができる。
【００７５】
−  ＵＥはＥＡＢが適用されない活性ＰＤＮ連結を有している限り、ネットワークにより放送される全てのＥＡＢ情報を無視することができる。
【００７６】
データ通信のためのアプリケーション特定混雑制御（ＡＣＤＣ；ａｐｐｌｉｃａｔｉｏｎ  ｓｐｅｃｉｆｉｃ  ｃｏｎｇｅｓｔｉｏｎ  ｃｏｎｔｒｏｌ  ｆｏｒ  ｄａｔａ  ｃｏｍｍｕｎｉｃａｔｉｏｎ）に対して説明する。ＡＣＤＣは事業者がＵＥで特定の運営者識別アプリケーションからの新たな接続試みを許容／防止するようにする接続制御メカニズムである。ネットワークは接続ネットワーク及び／又はコアネットワークの過負荷を防止／緩和することができる。この機能は選択事項である。
【００７７】
ＡＣＤＣカテゴリーは制限される確率の順序で順位付けられる。事業者は最小限の制限が必要なアプリケーションを上位ＡＣＤＣカテゴリーに割り当てる。これによって、該当アプリケーションからの接続試みに及ぼす影響が減る。このような方式により制御を構成すれば、訪問した事業者がローミングＵＥにＡＣＤＣが適用されるように選択する場合、ローミングＵＥに対して同一な原理が維持される。
【００７８】
ＵＥ上にＡＣＤＣカテゴリーが割り当てられない多くのアプリケーションがありうる。このようなアプリケーションは最も低い順位のＡＣＤＣカテゴリーの一部としてＵＥで処理されなければならない。このような分類されないアプリケーションに対して差別化が必要な場合、事業者は最も低い順位のＡＣＤＣカテゴリーにアプリケーションを割り当ててはならない。ＡＣＤＣに対する要求事項は、次の通りである。
【００７９】
−  この特徴はＵＴＲＡＮとＥ−ＵＴＲＡＮに適用できる。
【００８０】
−  この特徴は接続等級１１−１５の一つまたはその以上のメンバーでないＵＥに適用できる。
【００８１】
−  ホームネットワークは少なくとも４個のＡＣＤＣカテゴリーでＵＥを構成することができ、各カテゴリーは運営者識別アプリケーションと関連する。カテゴリーは制限される確率の順序で順位付けられる。
【００８２】
−  サービングネットワークはＲＡＮの一つ以上の領域で各ＡＣＤＣカテゴリー別に制御情報を放送することができる。制御情報は、例えば、遮断率及びローミングＵＥがＡＣＤＣ制御の対象になるか否かなどを指示することができる。
【００８３】
−  ＵＥはこの放送制御情報及びＵＥ内のカテゴリーの構成に基づいて特定アプリケーションに対する接続試みが許容されるか否かを制御することができる。
【００８４】
−  サービングネットワークは他の形態の接続制御と共にＡＣＤＣを同時に指示することができる。
【００８５】
−  ＡＣＤＣ及びＡＣＢ制御が全て指示されれば、ＡＣＤＣがＡＣＢを代替する。
【００８６】
−  同一な接続ネットワークを共有する多重コアネットワークの場合、接続ネットワークは互いに異なるコアネットワークに対してＡＣＤＣを個別的に適用することができる。共有ＲＡＮでの混雑の緩和のために、遮断率は全ての参加事業者に対して同一に設定される。
【００８７】
５Ｇシステムは５Ｇ  ＡＮ（ａｃｃｅｓｓ  ｎｅｔｗｏｒｋ）、５Ｇ  ＣＮ（ｃｏｒｅ  ｎｅｔｗｏｒｋ）及びＵＥで構成された３ＧＰＰシステムである。５Ｇ  ＡＮは５Ｇ  ＣＮに連結される非−３ＧＰＰ接続ネットワーク及び／又はＮＧ−ＲＡＮ（ｎｅｗ  ｇｅｎｅｒａｔｉｏｎ  ｒａｄｉｏ  ａｃｃｅｓｓ  ｎｅｔｗｏｒｋ）を含む接続ネットワークである。ＮＧ−ＲＡＮは５Ｇ  ＣＮに連結されるという共通特性を有し、次のオプションのうちの一つ以上をサポートする無線接続ネットワークである。
【００８８】
１）独立型ＮＲ（ｎｅｗ  ｒａｄｉｏ）。
【００８９】
２）ＮＲはＥ−ＵＴＲＡ拡張を有するアンカーである。
【００９０】
３）独立型Ｅ−ＵＴＲＡ。
【００９１】
４）Ｅ−ＵＴＲＡはＮＲ拡張を有するアンカーである。
【００９２】
図４は、ＮＧ−ＲＡＮアーキテクチャを示す。図４を参照すると、ＮＧ−ＲＡＮは一つ以上のＮＧ−ＲＡＮノードを含む。ＮＧ−ＲＡＮノードは一つ以上のｇＮＢ及び／又は一つ以上のｎｇ−ｅＮＢを含む。ｇＮＢは、ＵＥに向かってＮＲユーザ平面及び制御平面プロトコル終端を提供する。ｎｇ−ｅＮＢは、ＵＥに向かってＥ−ＵＴＲＡユーザ平面及び制御平面プロトコル終端を提供する。ｇＮＢとｎｇ−ｅＮＢは、Ｘｎインターフェースを介して相互連結される。ｇＮＢ及びｎｇ−ｅＮＢは、ＮＧインターフェースを介して５Ｇ  ＣＮに連結される。より具体的に、ｇＮＢ及びｎｇ−ｅＮＢはＮＧ−Ｃインターフェースを介してＡＭＦ（ａｃｃｅｓｓ  ａｎｄ  ｍｏｂｉｌｉｔｙ  ｍａｎａｇｅｍｅｎｔ  ｆｕｎｃｔｉｏｎ）に連結され、ＮＧ−Ｕインターフェースを介してＵＰＦ（ｕｓｅｒ  ｐｌａｎｅ  ｆｕｎｃｔｉｏｎ）に連結される。
【００９３】
ｇＮＢ及びｎｇ−ｅＮＢは、次の機能を提供する。
【００９４】
−  無線資源管理のための機能：無線ベアラー制御、無線許容制御、連結移動制御、アップリンク及びダウンリンクでＵＥに対する資源の動的割当（スケジューリング）；
【００９５】
−  データのＩＰ（Ｉｎｔｅｒｎｅｔ  ｐｒｏｔｏｃｏｌ）ヘッダ圧縮、暗号化及び無欠性保護；
【００９６】
−  ＵＥにより提供された情報からＡＭＦへのルーティングが決定できない時、ＵＥ付着時、ＡＭＦの選択；
【００９７】
−  ＵＰＦに向かってユーザ平面データをルーティング；
【００９８】
−  ＡＭＦに向かって制御平面情報のルーティング；
【００９９】
−  連結設定及び解除；
【０１００】
−  （ＡＭＦから始まる）ページングメッセージのスケジューリング及び送信；
【０１０１】
−  （ＡＭＦまたはＯ＆Ｍ（ｏｐｅｒａｔｉｏｎｓ  ＆  ｍａｉｎｔｅｎａｎｃｅ）から始まる）システム放送情報のスケジューリング及び送信；
【０１０２】
−  移動性及びスケジューリングのための測定及び測定報告構成；
【０１０３】
−  アップリンクでの送信レベルパケットマーキング；
【０１０４】
−  セッション管理；
【０１０５】
−  ネットワークスライシングサポート；
【０１０６】
−  ＱｏＳ（ｑｕａｌｉｔｙ  ｏｆ  ｓｅｒｖｉｃｅ）流れ管理及びデータ無線ベアラーへのマッピング；
【０１０７】
−  ＲＲＣ＿ＩＮＡＣＴＩＶＥ状態にいるＵＥのサポート；
【０１０８】
−  ＮＡＳ（ｎｏｎ−ａｃｃｅｓｓ  ｓｔｒａｔｕｍ）メッセージの配布機能；
【０１０９】
−  無線接続ネットワーク共有；
【０１１０】
−  二重連結；
【０１１１】
−  ＮＲとＥ−ＵＴＲＡとの間の緊密な連動。
【０１１２】
ＡＭＦは、次の主要機能を提供する。
【０１１３】
−  ＮＡＳ信号終端；
【０１１４】
−  ＮＡＳ信号セキュリティ；
【０１１５】
−  ＡＳセキュリティ統制；
【０１１６】
−  ３ＧＰＰアクセスネットワーク間の移動性のためのインターＣＮノードシグナリング；
【０１１７】
−  アイドルモードＵＥ到達可能性（ページング再送信の制御及び実行含み）；
【０１１８】
−  登録領域管理；
【０１１９】
−  システム内及びシステム間移動性サポート；
【０１２０】
−  アクセス認証；
【０１２１】
−  ローミング権限確認を含んだアクセス権限附与；
【０１２２】
−  移動性管理制御（加入及び政策）；
【０１２３】
−  ネットワークスライシングサポート；
【０１２４】
−  ＳＭＦ（ｓｅｓｓｉｏｎ  ｍａｎａｇｅｍｅｎｔ  ｆｕｎｃｔｉｏｎ）選択。
【０１２５】
ＵＰＦは、次の主要機能を提供する。
【０１２６】
−  イントラ／インター−ＲＡＴ移動性のためのアンカーポイント（適用可能な場合）；
【０１２７】
−  データネットワークに対する相互連結の外部ＰＤＵ（ｐｒｏｔｏｃｏｌ  ｄａｔａ  ｕｎｉｔ）セッションポイント；
【０１２８】
−  パケットルーティング及びフォワーディング；
【０１２９】
−  パケット検査及び政策規則執行のユーザ平面部分；
【０１３０】
−  トラフィック使用報告；
【０１３１】
−  データネットワークにトラフィック流れルーティングをサポートするアップリンク分類；
【０１３２】
−  マルチホームＰＤＵセッションをサポートするための地点；
【０１３３】
−  ユーザ平面に対するＱｏＳ処理（例えば、パケットフィルタリング、ゲーティング、ＵＬ／ＤＬ料金執行）；
【０１３４】
−  アップリンクトラフィック検証（ＳＤＦ（ｓｅｒｖｉｃｅ  ｄａｔａ  ｆｌｏｗ）でＱｏＳ流れマッピング）；
【０１３５】
−  ダウンリンクパケットバッファリング及びダウンリンクデータ通知トリガー。
【０１３６】
ＳＭＦは、次の主要機能を提供する。
【０１３７】
−  セッション管理；
【０１３８】
−  ＵＥ  ＩＰアドレス割当及び管理；
【０１３９】
−  ユーザ平面機能の選択及び制御；
【０１４０】
−  トラフィックを適切な対象にルーティングするためにＵＰＦでトラフィック転換構成；
【０１４１】
−  政策執行及びＱｏＳの制御平面部分；
【０１４２】
−  ダウンリンクデータ通知。
【０１４３】
前述したように、Ｅ−ＵＴＲＡＮは多様な接続制御メカニズム、即ち、ＡＣＢ、ＡＣＢ飛越し（ｓｋｉｐ）、ＳＳＡＣ、ＥＡＢ、及びＡＣＤＣの組合せに基づいて互いに異なるサービスの接続を制御する。しかしながら、多様な接続制御メカニズムを指定することによって、ＵＥ側及びｅＮＢ／ｇＮＢ側全てで互いに異なるメカニズム間の一部の相互作用により複雑性が増加することがある。したがって、装置の複雑性及び異なるメカニズム間の相互作用を避ける異なるメカニズムが必要である。
【０１４４】
ＮＲではＡＣＤＣで使われるカテゴリー概念がＡＣＢ（緊急接続、高い優先順位接続、ＭＴ接続のような呼出し類型）、ＡＣＢ飛越し、ＳＳＡＣ（ＭＭＴＥＬ音声、ＭＭＴＥＬビデオ、ＳＭＳ）、及びＥＡＢを含むように拡張できる。前述したように、ＡＣＤＣの場合、互いに異なるアプリケーションがＭＯデータに対する一つ以上のカテゴリーに分類される。ｅＮＢは各カテゴリーに対する遮断情報を放送し、これによってＵＥは特定アプリケーションでセルに接続する時、該当特定アプリケーションが属するカテゴリーを選択する。
【０１４５】
これと類似するように、緊急接続、高い優先順位接続のような一つ以上の呼出しタイプ及び／又は低い優先順位指示子（即ち、遅延に寛大な接続）、ＥＡＢ指示のようなＮＡＳからの互いに異なる指示子やはり一つ以上のカテゴリーに分類できることと見える。例えば、一つのネットワークは緊急接続と高い優先順位が接続を一つのカテゴリーに分類し、遅延に寛大な接続及びＥＡＢを更に他の独立的なカテゴリーと見做すことができる。他のネットワークはこれらを一つのカテゴリーに分類することができる。ｇＮＢは異なる遮断可能性を有するか、または同一な禁止可能性を有する互いに異なるカテゴリーを制御することができる。
【０１４６】
前記のような方式によって、ＮＲは接続制御及び未来保証メカニズムで完全な柔軟性をサポートすることができる。接続制御に対する新たな要求事項を必要とする場合、新たな要求事項は再−カテゴリー化または一つ以上の新たなカテゴリーを導入することにより実現できる。例えば、ＮＲステップ２にＤ２ＤまたはＭＢＭＳが導入されれば、新たなサービス／機能を新たなカテゴリーに分類するか、または一つ以上の既存カテゴリーに分類することができる。
【０１４７】
前述したように、カテゴリー概念がＮＲで接続制御メカニズムを提供することに使われば、ネットワークはＮＲ接続制御のための一つ以上のカテゴリーが構成できなければならない。前述したように、多様なアプリケーション、多様なサービス（例えば、ＭＭＴＥＬ音声、ＭＭＴＥＬビデオ、ＳＭＳ）、多様な呼出しタイプ（例えば、緊急接続、高い優先順位接続、ＭＴ接続）、ＮＡＳからの多様な指示子（例えば、低い優先順位指示子、ＥＡＢ指示）がネットワークでカテゴリー化の対象となることができる。
【０１４８】
一方、ＬＴＥのＡＣＤＣではＭＯデータに対するカテゴリー化のみ考慮されており、シグナリング及びＭＴ接続に対するカテゴリー化は構成されなかった。即ち、統合されたカテゴリー基盤の接続制御メカニズムのみ使われる場合、アプリケーション階層が介入しないシグナリングに対しては如何なる接続制御メカニズムが適用できるかが不明である。
【０１４９】
本発明は前述した問題点を解決する接続制御方法を提供する。本発明ではカテゴリーの概念をＭＯデータだけでなく、シグナリング及びＭＴ接続まで拡張することを提案する。例えば、ＮＡＳ手続きのためのＭＯ接続（即ち、ＭＯシグナリング）は一つのカテゴリーに分類できる。または、ＭＭ（ｍｏｂｉｌｉｔｙ  ｍａｎａｇｅｍｅｎｔ）手続きは一つのカテゴリーに分類されることができ、ＳＭ（ｓｅｓｓｉｏｎ  ｍａｎａｇｅｍｅｎｔ）手続きは各スライスに対して互いに異なるカテゴリーに分類できる。また、互いに異なるＲＲＣ手続きは一つ以上のカテゴリーに分類できる。例えば、ＲＡＮ基盤領域アップデート手続きは一つのカテゴリーに対するＵＬ接続をトリガーすることができ、注文型ＳＩ（ｓｙｓｔｅｍ  ｉｎｆｏｒｍａｔｉｏｎ）の要請は異なるカテゴリーに対するＵＬ接続をトリガーすることができる。
【０１５０】
カテゴリー化の意図はｇＮＢが互いに異なるカテゴリーのＵＬ接続を制御し、各セルに対して互いに異なる接続確率を有するカテゴリーを差別化するものである。したがって、各セルは一つ以上のカテゴリーに対して遮断パラメータを提供することができる。既存のメカニズムを考慮すれば、遮断係数（％）、遮断時間（ｍｓ）、ビットマップなどの遮断パラメータによって互いに異なる接続確率が実現できる。ＬＴＥで遮断係数及び遮断時間はＡＣＢ、ＳＳＡＣ、及びＡＣＤＣで使われる。ｅＮＢは各呼出しタイプ、各ＭＭＴＥＬサービス、または各ＡＣＤＣカテゴリーに対して独立的な遮断係数／時間を放送することができる。ビットマップはＬＴＥのＥＡＢで使われる。ｅＮＢは各ＵＥに格納された接続等級に基づいてＥＡＢ接続を制御することができる。ネットワークは各カテゴリーに対して遮断係数／時間またはビットマップを構成することができる。これによって、各使用例に対して柔軟性を提供し、接続制御に対する多様な要求事項をサポートすることができる。
【０１５１】
より具体的に、本発明の一実施形態によれば、ネットワーク個体は一つ以上のカテゴリーを構成し、構成されたカテゴリーに対する情報をＵＥに送信することができる。前記構成されたカテゴリーに対する情報は、カテゴリーの遮断情報を含むことができる。ＵＥは構成されたカテゴリーに対する情報を受信し、シグナリングを一つのカテゴリーに分類することができる。次に、ＵＥがＥ−ＵＴＲＡまたはＮＲでシグナリングを送信または受信するためにセルに接続手続きを開始すれば、ＵＥはカテゴリーの遮断情報を使用して該当セルへの接続が遮断されるか（または禁止されるか、または許容されないか）を判断することができる。ＵＥが該当セルに対する接続が遮断されないと見なせば、ＵＥは接続手続きのためのＵＬ送信を行い、以後シグナリングを送信または受信することができる。
【０１５２】
本発明の一実施形態によれば、前記カテゴリーは、シグナリングカテゴリー、グループ、等級などの他の用語で呼ばれることができる。本発明の一実施形態によれば、前記シグナリングは一つ以上のＲＲＣメッセージ（または、ＲＲＣ手続き）、ＮＡＳメッセージ（または、ＮＡＳ手続き）、ＭＡＣ制御要素（または、ＭＡＣ手続き）、ＲＬＣ制御ＰＤＵ（または、ＲＬＣ手続き）、ＰＤＣＰ制御ＰＤＵ（または、ＰＤＣＰ手続き）のようなＬ２制御情報、ＵＬ制御情報のようなＬ１制御情報（または、Ｌ１手続き）のうち、少なくとも一つを含むことができる。前記シグナリングは特定メッセージ、特定手続き、特定ＭＡＣ制御要素、特定ＰＤＵ、特定情報のうち、少なくとも一つを含むことができる。本発明の一実施形態によれば、前記接続手続きはランダムアクセス手続き、ＵＬ送信手続き、スケジューリング要請（ＳＲ；ｓｃｈｅｄｕｌｉｎｇ  ｒｅｑｕｅｓｔ）手続き、ＲＲＣ連結確立手続き、ＲＲＣ連結再開手続き、ＲＲＣ連結再確立手続き、ＲＲＣ状態遷移手続き、及びＲＡＮ領域アップデート手続きのうち、少なくとも一つを含むことができる。
【０１５３】
本発明の一実施形態によれば、前記カテゴリーの遮断情報は遮断係数（即ち、遮断確率）、遮断時間またはビットマップのうち、少なくとも一つ以上を含むことができる。カテゴリーの遮断情報に含まれることができる各情報は、次の通り適用できる。
【０１５４】
−  カテゴリーの遮断情報が遮断係数を含めば、ＵＥは任意値を抽出し、抽出された任意値を遮断係数が比較することができる。抽出された任意値が遮断係数より大きいか否かによって、ＵＥは該当セルへの接続が遮断されるか（または禁止されるか、または許容されないか）を決定することができる。
【０１５５】
−  カテゴリーの遮断情報が遮断時間を含めば、ＵＥが該当セルへの接続が遮断されたと決定する時、ＵＥはタイマーを始めることができる。タイマーが動作すれば、ＵＥは該当タイマーが前記遮断時間によって満了するまでは該当セルへの接続が遮断されたと見なすことができる。
【０１５６】
−  カテゴリーの遮断情報がビットマップを含めば、ＵＥはＵＥに対応するビットの値、即ち０または１をチェックすることができる。ビットの値によって、ＵＥは該当セルへの接続が遮断されるか（または禁止されるか、または許容されないか）を決定することができる。ビットマップの各ビットは各接続等級に対応することができる。ＵＥは、ＵＥに格納された接続等級を使用してビットマップのどのビットがＵＥに対応するかを探すことができる。
【０１５７】
本発明に従う接続手続きの一実施形態は、次の通りである。
【０１５８】
１．ネットワーク個体は一つ以上のカテゴリーを構成する。ネットワーク個体はｅＮＢ、ｇＮＢ、サーバー、ＭＭＥ、ＡＭＦ、及びＳＭＦのうち、いずれか一つでありうる。各カテゴリーは、次のうちの一つ以上を含むことができる。
【０１５９】
Ａ．互いに異なるアプリケーション
【０１６０】
Ｂ．互いに異なるサービス（例えば、ＭＭＴＥＬ音声、ＭＭＴＥＬビデオ、ＳＭＳ）
【０１６１】
Ｃ．互いに異なる呼出しタイプ（例えば、緊急呼出し、高い優先順位呼出し、ＭＴ呼出し、ＭＯシグナリング、ＭＯ呼出し）
【０１６２】
Ｄ．互いに異なる確立原因（例えば、緊急接続、高い優先順位接続、ＭＴ接続、ＭＯシグナリング）
【０１６３】
Ｅ．互いに異なるＮＡＳ階層からの指示子（例えば、低い優先順位指示子、ＥＡＢ指示子）
【０１６４】
Ｆ．シグナリング手続き（例えば、ＮＡＳ手続きまたはメッセージ、ＲＲＣ手続きまたはメッセージ）
【０１６５】
２．ネットワーク個体はカテゴリーがどのように構成されるかをＵＥに知らせる。即ち、ネットワーク個体は一つのカテゴリーに前述したアプリケーション、サービス、呼出しタイプ、確立原因、ＮＡＳ階層からの指示子及び／又はシグナリング手続きのうち、少なくとも一つがどのようにマッピングされるかに対するマッピング関係をＵＥに知らせる。カテゴリーとアプリケーション、サービス、呼出しタイプ、確立原因、ＮＡＳ階層からの指示子及び／又はシグナリング手続きのマッピング関係の一例は、次の通りである。
【０１６６】
Ａ．カテゴリー１：緊急呼出し、高い優先順位接続
【０１６７】
Ｂ．カテゴリー２：ＭＴ呼出し、ＭＴ接続
【０１６８】
Ｃ．カテゴリー３：注文型（ｏｎ−ｄｅｍａｎｄ）システム情報の要請（即ち、“Ｏｔｈｅｒ  ＳＩ”要請）のためのＲＲＣメッセージ／手続き
【０１６９】
Ｄ．カテゴリー４：ＲＲＣ連結確立手続き、ＲＲＣ連結再確立手続き、ＲＲＣ連結再開手続き、ＭＭＴＥＬ音声、ＭＭＴＥＬビデオ、ＳＭＳ
【０１７０】
Ｅ．カテゴリー５：トラッキング領域アップデートメッセージ／手続き、ＲＡＮ領域アップデートメッセージ／手続き、Ｖ２Ｘ（ｖｅｈｉｃｌｅ−ｔｏ−ｅｖｅｒｙｔｈｉｎｇ）サービス
【０１７１】
Ｆ．カテゴリー６：ＳＮＳ（ｓｏｃｉａｌ  ｎｅｔｗｏｒｋｉｎｇ  ｓｅｒｖｉｃｅ）アプリケーション、地図アプリケーション、メッセージアプリケーション
【０１７２】
Ｇ．カテゴリー７：ＥＡＢ指示子
【０１７３】
Ｈ．カテゴリー８：低い優先順位指示子、遅延に寛大な接続
【０１７４】
Ｉ．カテゴリー９：Ｄ２Ｄ（ｄｅｖｉｃｅ−ｔｏ−ｄｅｖｉｃｅ）サービス、ＭＢＭＳサービス
【０１７５】
前述したカテゴリーとアプリケーション、サービス、呼出しタイプ、確立原因、ＮＡＳ階層からの指示子及び／又はシグナリング手続きのマッピング関係を参照すると、高いカテゴリーにマッピングされるアプリケーション、サービス、呼出しタイプ、確立原因、ＮＡＳ階層からの指示子及び／又はシグナリング手続きであるほど接続が最小限に制限されなければならないアプリケーション、サービス、呼出しタイプ、確立原因、ＮＡＳ階層からの指示子及び／又はシグナリング手続きであることが分かる。
【０１７６】
図５は、本発明の一実施形態に従うカテゴリーとアプリケーション、サービス、呼出しタイプ、確立原因、ＮＡＳ階層からの指示子及び／又はシグナリング手続きのマッピング関係を示す。図５を参照すると、カテゴリー１には高い優先順位接続及び緊急接続がマッピングされる。カテゴリー２にはＮＡＳ手続き及びＲＲＣ手続きがマッピングされる。カテゴリー３にはアプリケーション１、未来サービス１及びＭＭＴＥＬ音声／ビデオマッピングされる。カテゴリー４にはアプリケーション３、アプリケーション４及び未来サービス２がマッピングされる。カテゴリー１は接続が最小限に制限されなければならない重要なアプリケーション、サービス、呼出しタイプ、確立原因、ＮＡＳ階層からの指示子及び／又はシグナリング手続きに対応し、カテゴリー４は接続制限に寛大なアプリケーション、サービス、呼出しタイプ、確立原因、ＮＡＳ階層からの指示子及び／又はシグナリング手続きに対応する。
【０１７７】
３．ネットワークのコアネットワーク個体は一つ以上のカテゴリーの遮断情報及び／又は特定カテゴリーに対してセルに対する接続が遮断されるか否かに対して基地局（例えば、ｇＮＢまたはｅＮＢ）に知らせる。
【０１７８】
４．基地局（例えば、ｇＮＢまたはｅＮＢ）はＵＥ、セル、ＴＲＰ（ｔｒａｎｓｍｉｓｓｉｏｎ  ａｎｄ  ｒｅｃｅｐｔｉｏｎ  ｐｏｉｎｔ）、ＴＰ（ｔｒａｎｓｍｉｓｓｉｏｎ  ｐｏｉｎｔ）、ＤＵ（ｄｉｓｔｒｉｂｕｔｅｄ  ｕｎｉｔ）またはビームに対して一つ以上のカテゴリーの遮断情報を決定する。
【０１７９】
５．基地局は一つ以上のカテゴリーの遮断情報を最小ＳＩを通じて放送することができる。最小ＳＩはセルに対する初期接続に必要な基本情報と周期的に、または注文型に提供される他のＳＩを獲得するための情報を含むことができる。または、基地局は一つ以上のカテゴリーの遮断情報を他のＳＩ（即ち、最小ＳＩ以外のＳＩ）を通じて放送することができる。または、基地局は一つ以上のカテゴリーの遮断情報をＤＣＣＨ上のＲＲＣメッセージのようなＵＥ専用シグナリングを通じて一つ以上のＵＥに送信することができる。
【０１８０】
例えば、ＲＲＣ＿ＩＤＬＥのＵＥのために使われたカテゴリーの遮断情報（例えば、ＡＴＴＡＣＨ、トラッキング領域アップデート、緊急接続、ＭＴ接続、またはＳＩ要請のための接続のために使われる遮断情報）は、最小ＳＩを通じて常に放送されることができ、残りのカテゴリーの遮断情報は他のＳＩを通じて放送できる。また、ＲＲＣ＿ＩＮＡＣＴＩＶＥまたはＲＲＣ＿ＣＯＮＮＥＣＴＥＤのＵＥのために使われたカテゴリーの遮断情報は、例えばＵＥがＲＲＣ＿ＩＮＡＣＴＩＶＥまたはＲＲＣ＿ＣＯＮＮＥＣＴＥＤに進入するか、または注文型ＳＩ伝達メカニズムを使用する時、専用シグナリングを通じてＵＥ別に送信できる。
【０１８１】
前記一つ以上のカテゴリーの遮断情報は一つ以上のＲＲＣ状態（例えば、ＲＲＣ＿ＩＤＬＥ、ＲＲＣ＿ＣＯＮＮＥＣＴＥＤ、ＲＲＣ＿ＩＮＡＣＴＩＶＥ、ＲＲＣ＿ＡＣＴＩＶＥ）に対してシグナリングできる。即ち、同一なカテゴリーといっても、互いに異なるＲＲＣ状態に対しては互いに異なる遮断情報がシグナリングできる。また、前記一つ以上のカテゴリーの遮断情報は各ＵＥ、各セル、各ＴＲＰ、各ＴＰ、各ＤＵ、または各ビームに対してシグナリングできる。
【０１８２】
６．ＵＥは基地局から一つ以上のカテゴリーの遮断情報を受信する。前記一つ以上のカテゴリーの遮断情報はＵＥの現在ＲＲＣ状態に対応することができる。
【０１８３】
７．ＵＥはネットワーク個体により構成されたカテゴリー構成情報に従ってシグナリングに対応する特定カテゴリーを決定し、該当特定カテゴリーに対する接続手続きを開始し、該当特定カテゴリーに対する接続遮断有無を判断する。例えば、ＵＥが高い優先順位接続のための接続を決定すれば、ＵＥは高い優先順位接続にマッピングされたカテゴリーを選択する。または、ＵＥがＭＴ呼出しのための接続を決定すれば、ＵＥはＭＴ呼出しにマッピングされたカテゴリーを選択する。または、ＵＥが注文型ＳＩの要請のための接続を決定すれば、ＵＥは注文型ＳＩの要請にマッピングされたカテゴリーを選択する。
【０１８４】
この際、ＵＥのＲＲＣ階層／ＮＡＳ階層／上位階層のうち、いずれか一つの階層がシグナリングに対応する特定カテゴリーを決定し、該当特定カテゴリーに対する接続手続きを開始し、該当特定カテゴリーに対する接続遮断有無を判断することができる。
【０１８５】
１）ＵＥのＲＲＣ階層がシグナリングに対応する特定カテゴリーを決定し、該当特定カテゴリーに対する接続手続きを開始し、該当特定カテゴリーに対する接続遮断有無を判断することができる。これは、ＮＡＳ階層がＲＲＣ階層に呼出しタイプ、ＡＣＤＣカテゴリー及びＥＡＢ指示のような接続タイプ情報を知らせる、ＬＴＥのＡＣＢ、ＡＣＤＣ及びＥＡＢモデリングと類似している。ＲＲＣ階層はＮＡＳ階層から受信した情報に基づいて、特定カテゴリーに対してセルに対する接続が遮断されたか否かを判断する。
【０１８６】
２）ＵＥのＮＡＳ階層がシグナリングに対応する特定カテゴリーを決定し、該当特定カテゴリーに対する接続手続きを開始し、該当特定カテゴリーに対する接続遮断有無を判断することができる。この際、ＲＲＣ階層はネットワーク個体から受信したカテゴリー構成情報及び／又はカテゴリーの遮断情報をＮＡＳ階層に知らせる。次に、ＮＡＳ階層はカテゴリーを決定し、ＲＲＣ階層から受信した遮断情報に基づいて特定カテゴリーに対してセルに対する接続が遮断されたか否かを判断する。
【０１８７】
３）ＵＥの上位階層（例えば、ＳＳＡＣのＭＭＴＥＬ）がシグナリングに対応する特定カテゴリーを決定し、該当特定カテゴリーに対する接続手続きを開始し、該当特定カテゴリーに対する接続遮断有無を判断することができる。これは、ＲＲＣ階層が基地局から受信した遮断情報を上位階層に知らせるＬＴＥのＳＳＡＣモデリングと類似している。上位階層はカテゴリーを決定し、ＲＲＣ階層から受信した遮断情報に基づいて特定カテゴリーに対してセルに対する接続が遮断されたか否かを判断する。
【０１８８】
８．ＵＥが特定カテゴリーに対する接続遮断有無を判断する時、ＵＥは基地局から受信されたカテゴリーの遮断情報を使用する。
【０１８９】
−  カテゴリーの遮断情報が遮断係数を含めば、ＵＥは任意値を抽出し、抽出された任意値を遮断係数が比較できる。抽出された任意値が遮断係数より大きいか否かによって、ＵＥは該当セルへの接続が遮断されるか（または、禁止されるか、または、許容されないか）を決定することができる。
【０１９０】
−  カテゴリーの遮断情報が遮断時間を含めば、ＵＥが該当セルへの接続が遮断されたと決定する時、ＵＥはタイマーを始めることができる。タイマーが動作すれば、ＵＥは該当タイマーが前記遮断時間によって満了するまでは該当セルへの接続が遮断されたと見なすことができる。
【０１９１】
−  カテゴリーの遮断情報がビットマップを含めば、ＵＥはＵＥに対応するビットの値、即ち０または１をチェックすることができる。ビットの値によって、ＵＥは該当セルへの接続が遮断されるか（または、禁止されるか、または許容されないか）を決定することができる。ビットマップの各ビットは各接続等級に対応することができる。ＵＥは、ＵＥに格納された接続等級を使用してビットマップのどのビットがＵＥに対応するかを探すことができる。
【０１９２】
９．ＵＥがセルに対する接続が遮断されていると見なせば、ＵＥはタイマーを始めることができる。タイマーが動作中の場合、ＵＥは該当タイマーが満了するまでは該当セルへの接続が遮断されたと見なすことができる。
【０１９３】
ＵＥがセルに対する接続が遮断されていないと判断すれば、ＵＥは接続手続きのためにＵＬ送信を遂行することができる。即ち、ＵＥが前記セルに対する接続が遮断されていないと判断すれば、前記ＵＥは接続手続きのメッセージを構成した後、前記メッセージをＵＬ上に送信することができる。
【０１９４】
図６は、本発明の一実施形態によってＵＥがカテゴリー基盤の接続制御を遂行する方法を示す。前述した本発明の実施形態が本実施形態に適用できる。
【０１９５】
ステップＳ１００で、ＵＥはネットワークからシグナリングカテゴリーに関する構成を受信する。前記ネットワークはｅＮＢ、ｇＮＢ、サーバー、ＭＭＥ、ＡＭＦまたはＳＭＦのうち、いずれか一つに対応することができる。前記シグナリングカテゴリーに関する構成によって、カテゴリーとアプリケーション、サービス、呼出しタイプ、確立原因、ＮＡＳ階層からの指示子及び／又はシグナリング手続きのマッピング関係が定義できる。一例に、前記シグナリングカテゴリーに関する構成に従って、注文型システム情報の要請のためのＲＲＣメッセージまたは手続きはＲＲＣ連結確立手続き、ＲＲＣ連結再確立手続き、またはＲＲＣ連結再開手続きより優先順位がより高いカテゴリーにマッピングできる。更に他の例に、前記シグナリングカテゴリーに関する構成に従って、ＲＲＣ連結確立手続き、ＲＲＣ連結再確立手続き、またはＲＲＣ連結再開手続きは、ＲＡＮ領域アップデート手続きより優先順位がより高いカテゴリーにマッピングできる。
【０１９６】
ステップＳ１１０で、ＵＥは前記シグナリングカテゴリーに関する構成に基づいて特定シグナリングに対応するカテゴリーを決定する。前記特定シグナリングはＲＲＣメッセージ（または、ＲＲＣ手続き）、ＮＡＳメッセージ（または、ＮＡＳ手続き）、ＭＡＣ制御要素（または、ＭＡＣ手続き）、ＲＬＣ制御ＰＤＵ（または、ＲＬＣ手続き）、ＰＤＣＰ制御ＰＤＵ（または、ＰＤＣＰ手続き）のようなＬ２制御情報、ＵＬ制御情報のようなＬ１制御情報（または、Ｌ１手続き）のうち、少なくとも一つを含むことができる。前記特定シグナリングは、特定メッセージ、特定手続き、特定ＭＡＣ制御要素、特定ＰＤＵ、または特定情報のうち、少なくとも一つを含むことができる。前記特定シグナリングに対応するカテゴリーは前記ＵＥのＲＲＣ階層で決定できる。または、前記特定シグナリングに対応するカテゴリーは前記ＵＥのＮＡＳ階層で決定されて前記ＵＥのＲＲＣ階層に指示できる。
【０１９７】
ステップＳ１２０で、ＵＥは前記特定シグナリングに対応するカテゴリーのセルに対する接続が遮断されたか否かを判断する。このために、ＵＥは前記ネットワークから少なくとも一つのカテゴリーの遮断情報を受信することができる。ＵＥは前記遮断情報を使用して前記特定シグナリングに対応するカテゴリーの前記セルに対する接続が遮断されたか否かを判断することができる。前記遮断情報は、遮断係数、遮断時間、またはビットマップのうち、少なくとも一つを含むことができる。前記遮断情報は、システム情報を通じて放送されるか、またはＤＣＣＨ上のＲＲＣメッセージを通じて送信できる。
【０１９８】
前記セルに対する接続が遮断されていないと判断された場合、ＵＥは前記特定シグナリングの実行のための接続手続きを遂行する。前記接続手続きは、ランダムアクセス手続き、ＵＬ送信手続き、ＳＲ手続き、ＲＲＣ連結確立手続き、ＲＲＣ連結再開手続き、ＲＲＣ連結再確立手続き、ＲＲＣ状態遷移手続き、またはＲＡＮ領域アップデート手続きのうち、少なくとも一つを含むことができる。
【０１９９】
図７は、本発明の実施形態が具現される無線通信システムを示す。
【０２００】
ネットワーク個体８００は、プロセッサ（ｐｒｏｃｅｓｓｏｒ）８１０、メモリ（ｍｅｍｏｒｙ）８２０、及び送受信部（ｔｒａｎｃｅｉｖｅｒ）８３０を含む。プロセッサ８１０は、本明細書で説明された機能、過程及び／又は方法を具現するように構成できる。無線インターフェースプロトコルの階層はプロセッサ８１０により具現できる。メモリ８２０はプロセッサ８１０と連結されて、プロセッサ８１０を駆動するための多様な情報を格納する。送受信部８３０はプロセッサ８１０と連結されて、無線信号を送信及び／又は受信する。
【０２０１】
ＵＥ９００は、プロセッサ９１０、メモリ９２０及び送受信部９３０を含む。プロセッサ９１０は、本明細書で説明された機能、過程及び／または方法を具現するように構成されることができる。無線インターフェースプロトコルの階層は、プロセッサ９１０により具現されることができる。メモリ９２０は、プロセッサ９１０と連結され、プロセッサ９１０を駆動するための多様な情報を格納する。送受信部９３０は、プロセッサ９１０と連結され、無線信号を送信及び／または受信する。
【０２０２】
プロセッサ８１０、９１０は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路、及び／又はデータ処理装置を備えることができる。メモリ８２０、９２０は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体、及び／又は他の格納装置を備えることができる。送受信部８３０、９３０は、無線周波数信号を処理するためのベースバンド回路を備えることができる。実施形態がソフトウェアで実現されるとき、上述した技法は、上述した機能を果たすモジュール（過程、機能等）で実現されることができる。モジュールは、メモリ８２０、９２０に格納され、プロセッサ８１０、９１０により実行されることができる。メモリ８２０、９２０は、プロセッサ８１０、９１０の内部または外部にありうるし、よく知られた様々な手段にてプロセッサ８１０、９１０と連結されることができる。
【０２０３】
前述した例示的なシステムにおいて、前述した本発明の特徴によって実現されることができる方法は、流れ図に基づいて説明された。便宜上、方法は、一連のステップまたはブロックで説明したが、請求された本発明の特徴は、ステップまたはブロックの順序に限定されるものではなく、あるステップは、異なるステップと、前述と異なる順序にまたは同時に発生できる。また、当業者であれば、流れ図に示すステップが排他的でなく、他のステップが含まれ、または流れ図の一つまたはそれ以上のステップが本発明の範囲に影響を及ぼさずに削除可能であることを理解することができる。
【図１】
0006972137.tif 000002
【図２】
0006972137.tif 000003
【図３】
0006972137.tif 000004
【図４】
0006972137.tif 000005
【図５】
0006972137.tif 000006
【図６】
0006972137.tif 000007
【図７】
0006972137.tif 000008